(57)【要約】      （修正有）【課題】ポインティングデバイスとしての機能を有する１つのリモコンで映像表示装置及び映像出力装置を操作する際に、リモコンが指し示す位置に応じて操作対象の装置を切り換える。【解決手段】映像表示装置は、放送波を受信すると共に映像出力装置が出力した外部映像データを受信して合成表示するものであり、その外部映像の表示領域３２０などを示す情報を、映像出力装置へ送信する。ポインティングデバイスとしてのリモコンが表示領域３２０の外を指し示す場合に、ポインタの表示、及びリモコンからの制御情報に従う映像表示装置の制御を実行する。一方、映像出力装置は、ポインティングデバイスとしてのリモコンが表示領域３２０の中を指し示す場合に、ポインタの表示、及びリモコンからの制御情報に従う映像出力装置の制御を実行する。【選択図】図３
2011099980.tif 000002
【特許請求の範囲】
【請求項１】
映像表示装置であって、
第１映像データを取得する第１取得手段と、
映像出力装置から第２映像データを取得する第２取得手段と、
ディスプレイの第１領域に前記第１映像データが表す第１映像を表示し、前記ディスプレイの第２領域に前記第２映像データが表す第２映像を表示する、表示手段と、
前記ディスプレイ上の特定の位置を指し示す指示情報、及び当該指示情報とは別の制御情報を、制御装置から受信する第１受信手段と、
前記ディスプレイにおける前記第２領域の位置を示す領域情報を、前記映像出力装置へ送信する送信手段と、
前記指示情報が指し示す位置が前記第１領域に含まれる場合は、前記ディスプレイの当該位置に第１ポインタを表示すると共に、前記制御情報に従って前記映像表示装置を制御し、前記指示情報が指し示す位置が前記第２領域に含まれる場合は、前記第１ポインタの表示も前記制御情報に従う前記映像表示装置の制御も実行しない、第１制御手段と、
を備えることを特徴とする映像表示装置。
【請求項２】
前記表示手段は、前記第２映像のうちの所定の範囲を前記第２領域に表示し、
前記送信手段は、前記所定の範囲を示す範囲情報を前記映像出力装置へ送信する
ことを特徴とする請求項１に記載の映像表示装置。
【請求項３】
前記表示手段は、ＧＵＩ（Ｇｒａｐｈｉｃａｌ  Ｕｓｅｒ  Ｉｎｔｅｒｆａｃｅ）を前記ディスプレイに表示し、
前記送信手段は、前記第２領域において前記ＧＵＩが表示されている領域を示す情報を前記映像出力装置へ送信し、
前記第１制御手段は、前記指示情報が指し示す位置が前記第２領域に含まれる場合であっても、当該位置が前記ＧＵＩが表示されている領域に含まれる場合は、前記ディスプレイの当該位置に前記第１ポインタを表示すると共に、前記制御情報に従って前記映像表示装置を制御する
ことを特徴とする請求項１又は２に記載の映像表示装置。
【請求項４】
請求項１又は２に記載の映像表示装置と、映像出力装置と、を備える映像表示システムであって、
前記映像出力装置は、
前記制御装置から前記制御情報を受信する第２受信手段と、
前記第２取得手段に対して前記第２映像データを出力する出力手段と、
前記送信手段から前記領域情報を受信し、前記制御装置から前記指示情報を受信する、第３受信手段と、
前記指示情報が指し示す位置が前記第２領域に含まれる場合は、前記第２映像が前記第２領域に表示された場合に前記ディスプレイの当該位置に第２ポインタが表れるように前記第２映像データに当該第２ポインタを表すデータを重畳すると共に、前記制御情報に従って前記映像出力装置を制御し、前記指示情報が指し示す位置が前記第２領域に含まれない場合は、前記第２ポインタを表すデータの重畳も前記制御情報に従う前記映像出力装置の制御も実行しない、第２制御手段と、
を備えることを特徴とする映像表示システム。
【請求項５】
映像表示装置の制御方法であって、
第１映像データを取得する第１取得工程と、
映像出力装置から第２映像データを取得する第２取得工程と、
ディスプレイの第１領域に前記第１映像データが表す第１映像を表示し、前記ディスプレイの第２領域に前記第２映像データが表す第２映像を表示する、表示工程と、
前記ディスプレイ上の特定の位置を指し示す指示情報、及び当該指示情報とは別の制御情報を、制御装置から受信する第１受信工程と、
前記ディスプレイにおける前記第２領域の位置を示す領域情報を、前記映像出力装置へ送信する送信工程と、
前記指示情報が指し示す位置が前記第１領域に含まれる場合は、前記ディスプレイの当該位置に第１ポインタを表示すると共に、前記制御情報に従って前記映像表示装置を制御し、前記指示情報が指し示す位置が前記第２領域に含まれる場合は、前記第１ポインタの表示も前記制御情報に従う前記映像表示装置の制御も実行しない、第１制御工程と、
を備えることを特徴とする制御方法。
【発明の詳細な説明】
【技術分野】
【０００１】
本発明は、映像表示装置、映像表示システム、及び映像表示装置の制御方法に関する。
【背景技術】
【０００２】
テレビ等の映像表示装置の操作は、リモコン（制御装置）により行われることが多い。一般的なリモコンは複数のボタンを持ち、ユーザはこれらのボタンを押下することにより映像表示装置を操作することができる。リモコンの中には、マウスのようなポインティングデバイスとしての機能を有するものもある。例えば、タッチパッドや加速度センサを内蔵することによりポインティングデバイスとして機能するリモコンが知られている。また、ビデオカメラなどにより撮影したユーザの動作（ジェスチャ）を解析して特定のポイントを指していることを認識する機構も知られている。
【０００３】
また、映像表示装置や、ＨＤＤレコーダなどの映像出力装置などの、複数の装置を１つのリモコンで操作可能にする技術が知られている（例えば、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ））。ＨＤＭＩは、接続されている装置間で映像データを伝送することに加えて、ＣＥＣ（Ｃｏｎｓｕｍｅｒ  Ｅｌｅｃｔｒｏｎｉｃｓ  Ｃｏｎｔｒｏｌ）と呼ばれるプロトコルを用いてコマンドを送受信することが可能である。一方の装置がリモコンから受信したコマンドを、ＣＥＣプロトコルに準拠したコマンドに変換して、ＨＤＭＩを介して他方の装置に送信することにより、１つのリモコンで複数の装置を操作することができる（例えば特許文献１参照）。
【０００４】
１つのリモコンにより複数の装置を操作する場合、例えばリモコンが有する切り換えスイッチの操作により、操作対象の装置が選択される。或いは、リモコンが有する入力切換ボタンによって映像の入力元として選択されている装置が操作対象の装置として選択される場合もある。
【先行技術文献】
【特許文献】
【０００５】
【特許文献１】特開２００８−１０４５０５号公報
【発明の概要】
【発明が解決しようとする課題】
【０００６】
映像表示装置の中には、チューナから受信した映像と映像出力装置から入力された映像とを同時に表示するものもある。このような場合、映像の入力元に応じて操作対象の装置を選択することは困難である。また、両方の装置の映像が表示されているにも関わらず、操作対象の装置を切り換えるためにその都度リモコンの切り換えスイッチを操作する作業は、ユーザにとって煩雑である。
【０００７】
本発明はこのような状況に鑑みてなされたものである。即ち、本発明は、ポインティングデバイスとしての機能を有する１つの制御装置で映像表示装置及び映像出力装置を操作する際に、ポインティングデバイスが指し示す位置に応じて操作対象の装置を切り換え可能とすることを目的とする。
【課題を解決するための手段】
【０００８】
上記課題を解決するために、第１の本発明は、映像表示装置であって、第１映像データを取得する第１取得手段と、映像出力装置から第２映像データを取得する第２取得手段と、ディスプレイの第１領域に前記第１映像データが表す第１映像を表示し、前記ディスプレイの第２領域に前記第２映像データが表す第２映像を表示する、表示手段と、前記ディスプレイ上の特定の位置を指し示す指示情報、及び当該指示情報とは別の制御情報を、制御装置から受信する第１受信手段と、前記ディスプレイにおける前記第２領域の位置を示す領域情報を、前記映像出力装置へ送信する送信手段と、前記指示情報が指し示す位置が前記第１領域に含まれる場合は、前記ディスプレイの当該位置に第１ポインタを表示すると共に、前記制御情報に従って前記映像表示装置を制御し、前記指示情報が指し示す位置が前記第２領域に含まれる場合は、前記第１ポインタの表示も前記制御情報に従う前記映像表示装置の制御も実行しない、第１制御手段と、を備えることを特徴とする映像表示装置を提供する。
【０００９】
なお、その他の本発明の特徴は、添付図面及び以下の発明を実施するための形態における記載によって更に明らかになるものである。
【発明の効果】
【００１０】
以上の構成により、本発明によれば、ポインティングデバイスとしての機能を有する１つの制御装置で映像表示装置及び映像出力装置を操作する際に、ポインティングデバイスが指し示す位置に応じて操作対象の装置を切り換えることが可能となる。
【図面の簡単な説明】
【００１１】
【図１】実施例１に係る映像表示システムの映像表示装置１００の構成を示す機能ブロック図。
【図２】実施例１に係る映像表示システムの映像出力装置２００の構成を示す機能ブロック図。
【図３】表示部１０６における映像データの表示領域の概念図。
【図４】外部映像表示情報の一例を示す図。
【図５】表示領域制御部１０９による表示領域設定処理を示すフローチャート。
【図６】映像表示装置１００のＯＳＤ生成部１１４によるポインタ表示処理を示すフローチャート。
【図７】映像出力装置２００のＯＳＤ生成部２０９によるポインタ表示処理を示すフローチャート。
【図８】実施例２に係る例外情報の構成例を示す図。
【発明を実施するための形態】
【００１２】
以下、添付図面を参照して、本発明の実施例を説明する。なお、本発明の技術的範囲は、特許請求の範囲によって確定されるのであって、以下の個別の実施例によって限定されるわけではない。また、実施例の中で説明されている特徴の組み合わせすべてが、本発明に必須とは限らない。
【実施例１】
【００１３】
図１及び図２を参照して、実施例１に係る映像表示システムについて説明する。図１は、実施例１に係る映像表示システムの映像表示装置１００の構成を示す機能ブロック図である。図２は、実施例１に係る映像表示システムの映像出力装置２００の構成を示す機能ブロック図である。図１及び図２から理解できるように、映像表示装置１００と映像出力装置２００とは有線又は無線で接続されており、映像データに加えて制御データの送受信が可能である。
【００１４】
図１に示すように、映像表示装置１００は、アンテナ１０１を介して放送波を受信し、受信した放送波から映像データ（第１映像データ）を取得して、この映像データが表す映像（第１映像）を表示する。また、映像表示装置１００は、映像出力装置２００から映像データ（第２映像データ）を取得して、この映像データが表す映像（第２映像）を表示することもできる。
【００１５】
チューナ１０２は、アンテナ１０１から放送波を受信し、ＭＰＥＧ２のトランスポート・ストリーム（Ｔｒａｎｓｐｏｒｔ  Ｓｔｒｅａｍ：ＴＳ）形式のデジタルデータに変換してデコーダ１０３に出力する。なお、ＭＰＥＧ２は、Ｍｏｖｉｎｇ  Ｐｉｃｔｕｒｅ  Ｅｘｐｅｒｔｓ  Ｇｒｏｕｐ  ２（カラー動画像符号化方式標準化グループの第２規格）の略称である。デコーダ１０３（第１取得手段）は、デジタルデータを映像データに変換して映像合成部１０４に出力する。デコーダ１０３はまた、映像データの変換時に映像の解像度やアスペクト比などの情報を含む映像フォーマット情報を取得する。
【００１６】
映像合成部１０４は、デコーダ１０３及び外部映像受信部１０７からの映像データの拡大、縮小、及び合成等の処理を行い、ＯＳＤ重畳部１０５に出力する。ＯＳＤ重畳部１０５は、ＯＳＤ生成部１１４が生成したＯＳＤ（Ｏｎ  Ｓｃｒｅｅｎ  Ｄｉｓｐｌａｙ）データを映像合成部１０４からの映像データに重畳して表示部１０６に出力する。これにより、表示部１０６に対するＧＵＩ（Ｇｒａｐｈｉｃａｌ  Ｕｓｅｒ  Ｉｎｔｅｒｆａｃｅ）の表示が実現される。表示部１０６は、例えば液晶ディスプレイであり、ＯＳＤ重畳部１０５から入力された映像データが表す映像を表示する。
【００１７】
外部映像受信部１０７（第２取得手段）は、映像出力装置２００と接続した映像データを伝送するための信号線を通して、映像出力装置２００が出力した映像データを受信し、映像合成部１０４に出力する。外部映像受信部１０７はまた、この映像データに含まれる映像の解像度やアスペクト比などの情報を含む映像フォーマット情報を取得する。制御データ送受信部１０８は、映像出力装置２００と接続した機器制御信号を伝送するための信号線を通して、映像出力装置２００との間で制御データを送受信する。
【００１８】
表示領域制御部１０９は、デコーダ１０３及び外部映像受信部１０７から取得した映像フォーマット情報、設定情報記憶部１１０から取得した映像データの表示設定、及びＵＩ部１１３から受け取った映像データの表示指示に基づいて、表示部１０６における、デコーダ１０３からの映像データの表示領域（第１領域）、及び映像出力装置２００からの映像データ（外部映像データ）の表示領域（第２領域）を決定する。表示領域制御部１０９は、決定したデコーダ１０３からの映像データ用の表示領域を映像合成部１０４に設定すると共に、この表示領域をポインタ表示範囲としてＯＳＤ生成部１１４に対して設定する。表示領域制御部１０９はまた、決定した映像出力装置２００からの映像データ用の表示領域などを示す外部映像表示情報を、制御データ送受信部１０８を介して映像出力装置２００へ送信する。
【００１９】
ここで、図３及び図４を参照して、表示部１０６における映像データの表示領域、及び外部映像表示情報について説明する。図３において、表示領域３１０は表示部１０６の表示領域全体を表す。表示領域３１０の幅、高さ（ピクセル単位）を（Ｗ０，Ｈ０）とし、（Ｗ０，Ｈ０）＝（１９２０，１０８０）とする。表示領域３２０（表示領域３１０の中の斜線で表された領域）は、外部映像データを表示部１０６に表示する際の表示領域を表す。表示領域３２０は、表示位置（表示領域３２０の左上の位置）のＸ座標、Ｙ座標、及び、幅、高さ（Ｘ，Ｙ，Ｗ，Ｈ）によって規定される。例えば、（Ｘ，Ｙ，Ｗ，Ｈ）＝（１００，１００，９６０，５４０）であり、この場合、幅と高さの比率（アスペクト比）は１６：９である。表示領域３３０は、表示領域３１０から表示領域３２０を除いた領域であり、この領域が、チューナ１０２からの映像データの表示領域であると共に、ポインタ表示範囲でもある。但し、表示領域３３０の一部のみをチューナ１０２からの映像データの表示領域としてもよい。
【００２０】
映像３４０は、外部映像データが表す映像（外部映像）全体を表す。外部映像の幅、高さを（Ｗ１，Ｈ１）とすると、例えば、（Ｗ１，Ｈ１）＝（１９２０，１０８０）であり、アスペクト比は１６：９である。表示範囲３５０は、外部映像の中で、表示領域３２０に表示する範囲（所定の範囲）を表す。左上の座標を（ＡＸ，ＡＹ）とし、幅、高さを（ＡＷ，ＡＨ）とする。（ＡＸ，ＡＹ）及び（ＡＷ，ＡＨ）は、映像３４０の左上を（０，０）、右下を（１００，１００）とした場合の値で表される。例えば、（ＡＸ，ＡＹ）＝（１０，１０）であり、（ＡＷ，ＡＨ）＝（８０，８０）である。
【００２１】
外部映像表示情報（図４参照）は、（Ｗ０，Ｈ０，Ｘ，Ｙ，Ｗ，Ｈ，ＡＸ，ＡＹ，ＡＷ，ＡＨ）で規定される。図３を参照して説明した例では、（Ｗ０，Ｈ０，Ｘ，Ｙ，Ｗ，Ｈ，ＡＸ，ＡＹ，ＡＷ，ＡＨ）＝（１９２０，１０８０，１００，１００，９６０，５４０，１０，１０，８０，８０）である。外部映像表示情報に範囲情報（ＡＸ，ＡＹ，ＡＷ，ＡＨ）が含まれているため、外部映像の一部にみを領域情報（Ｘ，Ｙ，Ｗ，Ｈ）で規定される外部映像の表示領域に表示することができる。従って、例えば外部映像のアスペクト比が４：３であり、外部映像の表示領域のアスペクト比が１６：９である場合に、外部映像の上下の一部を除いたアスペクト比が１６：９の範囲を外部映像の表示領域に表示することができる。一方、外部映像の全体を表示する場合は、範囲情報（ＡＸ，ＡＹ，ＡＷ，ＡＨ）は不要である。
【００２２】
なお、外部映像の表示領域のアスペクト比と外部映像のアスペクト比とが異なり、外部映像のサイドパネルなどを付加する場合、領域情報が補正される。例えば、外部映像の表示領域のアスペクト比が１６：９であり、外部映像のアスペクト比が４：３であり、外部映像の両側にサイドパネルを付加して表示する場合、領域情報は（Ｘ＋Ｈ×２／９，Ｙ，Ｗ×１２／１６，Ｈ）となる。
【００２３】
図１に戻り、リモコン３００（制御装置）は、ボタンを有しており、通常のボタン操作を受け付ける。また、リモコン３００はポインティングデバイスとしても動作し、映像表示装置１００の表示部１０６の表示画面上の（即ち、ディスプレイ上の）特定の位置を指し示すことができる。リモコン３００は、映像表示装置１００及び映像出力装置２００の両方に、ボタンの押下状態を示す情報（制御情報）及び指し示した位置を表す座標情報（指示情報）を送信することが可能である。リモコン３００と映像表示装置１００及び映像出力装置２００との間の通信は、例えば赤外線や無線により行われる。
【００２４】
リモコン信号受信部１１１（第１受信手段）は、リモコン３００からの信号を受信し、ボタンの押下状態やリモコン３００がポインティングデバイスとして指し示す位置を特定するポインタ座標情報を含む、リモコン信号データに変換する。入力イベント処理部１１２は、リモコン信号受信部１１１から受け取ったリモコン信号データを解析し、ボタンの押下状態、及びポインタ座標情報をＵＩ部１１３に受け渡すとともに、ポインタ座標情報をＯＳＤ生成部１１４に受け渡す。入力イベント処理部１１２はまた、ボタンの押下状態に従って、例えば映像表示装置１００の制御（例えば、チューナ１０２のチャンネルの切り換え）を実行する。
【００２５】
ＯＳＤ生成部１１４は、ＵＩ部１１３からの指示に基づき、ＯＳＤデータを生成する。ＯＳＤ生成部１１４はまた、入力イベント処理部１１２から取得したポインタ座標情報を基に、ポインティングデバイスがどの座標を指しているかを表すためのポインタ（第１ポインタ）の表示を行う。ＯＳＤ生成部１１４はまた、ポインタ表示範囲に基づいて、ポインタの表示及び非表示の切り換えを行う。
【００２６】
ＵＩ部１１３は、入力イベント処理部１１２から受け取ったボタンの押下状態及びポインタ座標情報に基づいて動作する。例えば、ＵＩ部１１３は、表示領域制御部１０９に対して映像出力装置２００からの映像データの表示指示を行う。ＵＩ部１１３はまた、ＯＳＤ生成部１１４に対して、ＧＵＩ用のＯＳＤデータの生成及び表示の指示を行う。設定情報記憶部１１０は、映像データの表示設定、及び表示部１０６の表示領域の幅、高さを含む、映像表示装置仕様情報を記憶する。
【００２７】
次に図２を参照すると、映像出力装置２００は、ディスク、もしくはメモリ等のメディアに蓄積している映像データを出力するものであり、ＨＤＤレコーダや、光ディスクプレーヤなどである。リモコン信号受信部２０１。但し、制御データ送受信部が第２受信手段であってもよい）、入力イベント処理部２０２、ＵＩ部２０３、ＯＳＤ重畳部２０４、及び制御データ送受信部２０５はそれぞれ、図１に示すリモコン信号受信部１１１、入力イベント処理部１１２、ＵＩ部１１３、ＯＳＤ重畳部１０５、及び制御データ送受信部１０８と同様の処理を行うため、詳細な説明は省略する。なお、リモコン信号受信部２０１又は制御データ送受信部２０５が第２受信手段として機能する。また、制御データ送受信部２０５単独、又は、リモコン信号受信部２０１又は制御データ送受信部２０５が、第３受信手段として機能する。
【００２８】
映像蓄積部２０６は、圧縮した映像データを蓄積するディスクやメモリ等のメディアである。映像再生時には、映像蓄積部２０６は、再生対象の映像データを映像再生部２０７に出力する。映像再生部２０７は、圧縮した映像データを展開し、ＯＳＤ重畳部２０４に出力すると共に、映像データの解像度の情報を含む映像フォーマット情報を取得する。
【００２９】
表示領域制御部２０８は、制御データ送受信部２０５が受信した外部映像表示情報を基に、ポインタ表示範囲を生成してＯＳＤ生成部２０９に設定する。表示領域制御部２０８はまた、映像再生部２０７から取得した映像フォーマット情報、及び外部映像表示情報（図４参照）を基に、ポインタ表示座標変換情報を生成してＯＳＤ生成部２０９に設定する。
【００３０】
ＯＳＤ生成部２０９は、入力イベント処理部２０２から取得したポインタ座標情報を、ポインタ座標変換部２１０を使用してポインタ表示座標に変換する。変換の目的は、外部映像に重畳されたポインタ（第２ポインタ）が表示部１０６に表示された場合に、ポインティングデバイスとしてのリモコン３００が指し示す位置にこのポインタが表れるようにすることである。ＯＳＤ生成部２０９は、リモコン３００が指し示す位置（ポインタ座標情報）がポインタ表示範囲に含まれる場合、外部映像データのポインタ表示座標にポインタを重畳する。
【００３１】
ポインタ座標変換部２１０による変換処理の一例は、次の通りである。ポインタ座標情報（リモコン３００が指し示す、表示部１０６上の座標）を（ＰＳＸ，ＰＳＹ）とし、ポインタ表示座標（外部映像においてポインタが重畳される座標）を（ＰＤＸ，ＰＤＹ）とすると、
ＰＤＸ＝（ＰＳＸ−Ｘ）／Ｗ×ＡＷ／１００×Ｗ１＋（Ｗ１／１００×ＡＸ）
ＰＤＹ＝（ＰＳＹ−Ｙ）／Ｈ×ＡＨ／１００×Ｈ１＋（Ｈ１／１００×ＡＹ）
である。ここで、（Ｗ１，Ｈ１）は、外部映像の幅、高さである。また、上述したポインタ表示座標変換情報とは、（Ｗ１，Ｈ１，Ｘ，Ｙ，Ｗ，Ｈ，ＡＸ，ＡＹ，ＡＷ，ＡＨ）である。
【００３２】
外部映像送信部２１１は、映像表示装置１００と接続した映像信号を伝送するための信号線を通して、映像表示装置１００に映像データを送信する。
【００３３】
次に、図５を参照して、表示領域制御部１０９による表示領域設定処理について説明する。Ｓ５１０で、表示領域制御部１０９は、外部映像表示状態の変更に関する通知を受け取るまで待機する。受け取る通知の例として、ＵＩ部１１３から受け取る映像出力装置２００からの映像データの表示変更通知、外部映像受信部１０７から受け取る外部映像データの映像フォーマット情報の変化通知、制御データ送受信部１０８から受け取る表示要求受信通知等がある。表示変更通知は、ユーザの指示により外部映像データの表示を開始、終了する場合、外部映像データの表示範囲を拡大、縮小する場合、或いはユーザ操作により外部映像データの表示設定が変更された場合等に受け取られる。外部映像データの映像フォーマット情報の変化通知は映像フォーマット情報が変化した場合（例えば、外部映像データのアスペクト比が変化した場合）等に受け取られる。表示要求受信通知は映像出力装置２００での再生開始等の操作により、制御データ送受信部１０８が映像出力装置２００から外部映像データの表示要求を受信した場合に受け取られる。
【００３４】
Ｓ５２０で、表示領域制御部１０９は、ＵＩ部１１３から、外部映像の表示領域に関する情報（図４の「領域情報」参照）を取得する。Ｓ５３０で、表示領域制御部１０９は、外部映像受信部１０７から外部映像データの映像フォーマット情報を取得する。Ｓ５４０で、表示領域制御部１０９は、設定情報記憶部１１０から、外部映像の表示範囲を示す情報（図４の「範囲情報」参照）、外部映像表示設定、及び映像表示装置仕様情報を取得する。外部映像表示設定は、外部映像データの映像フォーマット情報等に応じてどのような表示を行うかの設定（例えば、図４を参照して説明したように外部映像にサイドパネルを付加するか否かなどの設定）を含む。
【００３５】
Ｓ５５０で、表示領域制御部１０９は、ＵＩ部１１３から受け取ったＳ５２０〜Ｓ５３０で取得した情報を基に、外部映像表示情報（図４参照）を生成する。Ｓ５６０で、表示領域制御部１０９は、制御データ送受信部１０８を介して、外部映像表示情報を映像出力装置２００へ送信する。Ｓ５７０で、表示領域制御部１０９は、映像表示装置１００の映像の表示領域（図３の表示領域３３０参照）を算出し、ポインタ表示範囲としてＯＳＤ生成部１１４に設定する。Ｓ５８０で、表示領域制御部１０９は、映像合成部１０４に対して外部映像表示情報を設定することにより、デコーダ１０３からの映像データに外部映像データを合成して出力するように設定する。
【００３６】
図６は、映像表示装置１００のＯＳＤ生成部１１４によるポインタ表示処理を示すフローチャートである。Ｓ６１０で、ＯＳＤ生成部１１４は、入力イベント処理部１１２からポインタ座標情報を受け取る。Ｓ６２０で、ＯＳＤ生成部１１４は、ポインタ座標情報がポインタ表示範囲内であるか否か（即ち、ポインタの座標が図３の表示領域３２０の外であるか否か）を判定する。判定結果が「ＹＥＳ」であればＳ６４０からＳ６５０へと進み、「ＮＯ」であればＳ６４０からＳ６６０へと進む。
【００３７】
Ｓ６５０で、ＯＳＤ生成部１１４は、ポインタ座標情報の位置にポインタを表示する。また、入力イベント処理部１１２は、リモコン３００からの制御情報（ボタンの押下状態など）に従う映像表示装置１００の制御の実行を有効化する。
【００３８】
Ｓ６６０で、ＯＳＤ生成部１１４は、ポインタを非表示にする。また、入力イベント処理部１１２は、リモコン３００からの制御情報（ボタンの押下状態など）に従う映像表示装置１００の制御の実行を無効化する。なお、ＯＳＤ生成部１１４及び入力イベント処理部１１２が、第１制御手段として機能する。
【００３９】
図７は、映像出力装置２００のＯＳＤ生成部２０９によるポインタ表示処理を示すフローチャートである。Ｓ７１０で、ＯＳＤ生成部２０９は、入力イベント処理部２０２からポインタ座標情報を受け取る。但し、ＯＳＤ生成部２０９は、制御データ送受信部２０５を介して映像表示装置１００からポインタ座標情報を受け取ってもよい。Ｓ７２０で、ＯＳＤ生成部２０９は、ポインタ座標変換部２１０を用いて、ポインタ座標情報、及びポインタ表示座標変換情報を基に、ポインタ表示座標を取得する。Ｓ７３０で、ＯＳＤ生成部２０９は、ポインタ座標情報（変換前）がポインタ表示範囲内であるか否か（即ち、ポインタの座標が図３の表示領域３２０の中であるか否か）を判定する。判定結果が「ＹＥＳ」であればＳ７４０からＳ７５０へと進み、「ＮＯ」であればＳ７４０からＳ７６０へと進む。
【００４０】
Ｓ７５０で、ＯＳＤ生成部２０９は、ポインタ表示座標（変換後）の位置にポインタを表示する（ＯＳＤ重畳部２０４により、ポインタを表すデータを映像データに重畳する）。また、入力イベント処理部２０２は、リモコン３００からの制御情報（ボタンの押下状態など）に従う映像出力装置２００の制御の実行を有効化する。
【００４１】
Ｓ７６０で、ＯＳＤ生成部２０９は、ポインタを非表示にする。また、入力イベント処理部２０２は、リモコン３００からの制御情報（ボタンの押下状態など）に従う映像出力装置２００の制御の実行を無効化する。なお、ＯＳＤ生成部２０９及び入力イベント処理部２０２が第２制御手段として機能する。
【００４２】
以上説明したように、本実施例によれば、映像表示装置１００は、ポインティングデバイスとしてのリモコン３００が表示領域３２０の外を指し示す場合に、ポインタの表示、及びリモコン３００からの制御情報に従う映像表示装置１００の制御を実行する。一方、映像出力装置２００は、ポインティングデバイスとしてのリモコン３００が表示領域３２０の中を指し示す場合に、ポインタの表示、及びリモコン３００からの制御情報に従う映像出力装置２００の制御を実行する。
【００４３】
これにより、ポインティングデバイスとしての機能を有する１つの制御装置で映像表示装置及び映像出力装置を操作する際に、ポインティングデバイスが指し示す位置に応じて操作対象の装置を切り換えることが可能となる。
【００４４】
なお本実施例では、リモコン信号の受信にかかる遅延時間を短縮するため、リモコン信号を各装置で直接受信する形態としたが、映像出力装置２００、映像表示装置１００のいずれかの装置で受信したリモコン信号を他方の装置に再送信する構成としてもよい。
【実施例２】
【００４５】
映像表示装置は、外部映像の表示領域の一部にＧＵＩを表示する場合がある。本実施例では、このような場合について説明する。本実施例の映像表示システムも、実施例１と同様に、映像表示装置１００及び映像出力装置２００を含み、実施例１と同一又は同様の部分については説明を省略する。
【００４６】
映像表示装置１００のＯＳＤ生成部１１４が表示領域３２０（図３参照）にＧＵＩを表示した場合、表示領域制御部１０９は、図８に示す例外情報を生成し、これをＯＳＤ生成部１１４に設定すると共に、映像出力装置２００へ送信する。例外情報は、１つ以上の領域データの集合により表される。最初に、例外情報に含まれる領域データの数を表す領域データ数があり、その後に領域データ数の分だけ領域データが続く。各領域データは、ＧＵＩの表示領域を規定するために、その表示領域の左上のＸ座標、Ｙ座標、及び、その表示領域の幅、高さを含む。
【００４７】
本実施例では、Ｓ６２０（図６）及びＳ７３０（図７）において、例外情報も考慮される。即ち、図６において、ポインタ座標情報が外部映像の表示領域に含まれる場合であっても、例外情報が示すＧＵＩの表示領域に含まれる場合は、処理がＳ６４０からＳ６５０へと進む。また、図７において、ポインタ座標情報が外部映像の表示領域に含まれる場合であっても、例外情報が示すＧＵＩの表示領域に含まれる場合は、処理がＳ７４０からＳ７６０へと進む。
【００４８】
このように、映像表示装置１００のＧＵＩの表示領域においては、映像表示装置１００の制御及びポインタの表示が優先されるため、ユーザは、より直感的に操作を行うことができる。
【００４９】
なお、例外情報の代わりに、有効・無効を表すフラグが送信されてもよい。フラグが無効の場合には、ポインタ座標情報に関わらず、映像出力装置２００による制御及びポインタの表示が無効化される。
【００５０】
［その他の実施例］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2011099980.tif 000003
【図２】
2011099980.tif 000004
【図３】
2011099980.tif 000005
【図４】
2011099980.tif 000006
【図５】
2011099980.tif 000007
【図６】
2011099980.tif 000008
【図７】
2011099980.tif 000009
【図８】
2011099980.tif 000010